(57)【要約】【課題】無線通信システムにおける端末がデータを送受信する方法及びそのための装置を提供する。【解決手段】端末は基地局からダウンリンク制御情報（downlink control information）を受信し、かつダウンリンク制御情報はダウンリンク共有チャンネルに対するバンドリングサイズ（bundling size）を設定するための指示子（Indicator）を含む。端末は、ダウンリンク制御情報に基づいて設定されたダウンリンク共有チャンネル（Downlink Shared Channel）を通じて基地局からダウンリンクデータ（Downlink Data）を受信し、かつバンドリングサイズは指示子の値によって設定できる。【選択図】図６
2020505807.tif 000002
【特許請求の範囲】
【請求項１】
無線通信システムにおける端末がデータを送受信する方法において、
基地局からダウンリンク制御情報（downlink control information）を受信するステップと、
前記ダウンリンク制御情報はダウンリンク共有チャンネルに対するバンドリングサイズ（bundling size）を設定するための指示子（Indicator）を含み、及び
前記ダウンリンク制御情報に基づいて設定された前記ダウンリンク共有チャンネル（Downlink Shared Channel）を通じて前記基地局からダウンリンクデータ（Downlink Data）を受信するステップと、を含み、かつ、
前記バンドリングサイズは前記指示子の値によって設定されることを特徴とする、データ送受信方法。
【請求項２】
前記基地局から前記バンドリングサイズに対する少なくとも１つの候補値を各々含む複数のバンドリングサイズ集合（bundling size set）を含む構成情報を受信するステップをさらに含む、請求項１に記載のデータ送受信方法。
【請求項３】
前記指示子の値が‘０’の場合、
前記複数のバンドリングサイズ集合のうちの１つの候補値を含む特定バンドリングサイズ集合が前記バンドリングサイズを設定するための集合で構成され、
前記バンドリングサイズは前記特定バンドリングサイズ集合に含まれた候補値に決定される、請求項２に記載の方法。
【請求項４】
前記指示子の値が‘１’の場合、
前記複数のバンドリングサイズ集合のうち、２つの候補値を含むバンドリングサイズ集合が前記バンドリングサイズを設定するための集合で構成される、請求項２に記載の方法。
【請求項５】
前記バンドリングサイズは周波数軸に連続的な物理資源ブロックの個数としきい値の比較結果によって前記２つの候補値のうちの１つの値に設定される、請求項４に記載の方法。
【請求項６】
前記連続的な物理資源ブロックの個数が前記しきい値より大きい場合、前記バンドリングサイズは前記２つの候補値のうち、大きい値に設定される、請求項５に記載の方法。
【請求項７】
前記連続的な物理資源ブロックの個数が前記しきい値より小さい場合、前記バンドリングサイズは前記２つの候補値のうち、小さい値に設定される、請求項５に記載の方法。
【請求項８】
前記しきい値は活性化された帯域幅部分（Bandwidth Part：BWP）に対する帯域幅（Bandwidth）の資源ブロック個数（Resource Block）を２で割った値である、請求項５に記載の方法。
【請求項９】
無線通信システムにおける基地局がデータを送受信する方法において、
端末にダウンリンク制御情報（downlink control information）を転送するステップと、
前記ダウンリンク制御情報はダウンリンク共有チャンネルに対するバンドリングサイズ（bundling size）を設定するための指示子（Indicator）を含み、及び
前記ダウンリンク制御情報に基づいて設定された前記ダウンリンク共有チャンネル（Downlink Shared Channel）を通じて前記端末にダウンリンクデータ（Downlink Data）を転送するステップを含み、かつ、
前記バンドリングサイズは前記指示子の値によって設定されることを特徴とする、データ送受信方法。
【請求項１０】
無線通信システムにおけるデータを送受信する端末において、
無線信号を送受信するためのRFモジュール（radio frequency module）、及び
前記RFモジュールと機能的に連結されているプロセッサを含み、
前記プロセッサは、
基地局からダウンリンク制御情報（downlink control information）を受信し、かつ、
前記ダウンリンク制御情報はダウンリンク共有チャンネルに対するバンドリングサイズ（bundling size）を設定するための指示子（Indicator）を含み、
前記ダウンリンク制御情報に基づいて設定された前記ダウンリンク共有チャンネル（Downlink Shared Channel）を通じて前記基地局からダウンリンクデータ（Downlink Data）を受信し、かつ、
前記バンドリングサイズは前記指示子の値によって設定されることを特徴とする、端末。
【請求項１１】
前記プロセッサは、
前記基地局から前記バンドリングサイズに対する少なくとも１つの候補値を各々含む複数のバンドリングサイズ集合（bundling size set）を含む構成情報を受信することを特徴とする、請求項１０に記載の端末。
【請求項１２】
前記指示子の値が‘０’の場合、
前記複数のバンドリングサイズ集合のうちの１つの候補値を含む特定バンドリングサイズ集合が前記バンドリングサイズを設定するための集合で構成され、
前記バンドリングサイズは前記特定バンドリングサイズ集合に含まれた候補値に決定されることを特徴とする、請求項１１に記載の端末。
【請求項１３】
前記指示子の値が‘１’の場合、
前記複数のバンドリングサイズ集合のうち、２つの候補値を含むバンドリングサイズ集合が前記バンドリングサイズを設定するための集合で構成されることを特徴とする、請求項１１に記載の端末。
【請求項１４】
前記バンドリングサイズは前記２つの候補値のうち、周波数軸に連続的な物理資源ブロックの個数によって１つの値に設定されることを特徴とする、請求項１３に記載の端末。
【請求項１５】
前記バンドリングサイズは周波数軸に連続的な物理資源ブロックの個数としきい値の比較結果によって前記２つの候補値のうちの１つの値に設定されることを特徴とする、請求項１３に記載の端末。
【請求項１６】
前記連続的な物理資源ブロックの個数が前記しきい値より大きい場合、前記バンドリングサイズは前記２つの候補値のうち、大きい値に設定されることを特徴とする、請求項１５に記載の端末。
【請求項１７】
前記連続的な物理資源ブロックの個数が前記しきい値より小さい場合、前記バンドリングサイズは前記２つの候補値のうち、小さい値に設定されることを特徴とする、請求項１５に記載の端末。
【請求項１８】
前記しきい値は活性化された帯域幅部分（Bandwidth Part：BWP）に対する帯域幅（Bandwidth）の資源ブロック個数（Resource Block）を２で割った値であることを特徴とする、請求項１５に記載の端末。
【発明の詳細な説明】
【技術分野】
【０００１】
本発明は無線通信システムに関し、より詳しくは、データを送受信するための方法及びこれを支援する装置に関する。
【背景技術】
【０００２】
移動通信システムは、ユーザの活動性を保障しながら音声サービスを提供するために開発された。しかしながら、移動通信システムは、音声だけでなくデータサービスまで領域を拡張し、現在では、爆発的なトラフィックの増加によって資源の不足現象が引き起こされ、ユーザがより高速のサービスを要求するので、より発展した移動通信システムが要求されている。
【０００３】
次世代の移動通信システムの要求条件は大きく、爆発的なデータトラフィックの収容、ユーザ当たり送信率の画期的な増加、大幅増加した連結デバイス個数の収容、非常に低い端対端遅延（End-to-End Latency）、高エネルギー効率を支援できなければならない。そのために、二重連結性（Dual Connectivity）、大規模多重入出力（Massive MIMO：Massive Multiple Input Multiple Output）、全二重（In-band Full Duplex）、非直交多重接続（NOMA：Non-Orthogonal Multiple Access）、超広帯域（Super wideband）支援、端末ネットワーキング（Device Networking）など、様々な技術が研究されている。
【発明の概要】
【発明が解決しようとする課題】
【０００４】
本明細書は、無線通信システムにおけるデータを送受信する方法及びそのための装置を提案する。
【０００５】
これと関連して、本明細書はダウンリンク共有チャンネル（例：PDSCH）に対するバンドリングを設定する方法及びそのための装置を提案する。
【０００６】
具体的に、本明細書はダウンリンク共有チャンネルに対するバンドリングサイズ（bundling size）を基地局から転送されたダウンリンク制御情報（Downlink Control Information：DCI）によって動的（dynamic）に設定するための方法及びそのための装置を提案する。
【０００７】
本発明で達成しようとする技術的課題は以上で言及した技術的課題に制限されず、言及しない更に他の技術的課題は以下の記載から本発明が属する技術分野で通常の知識を有する者に明確に理解できるはずである。
【課題を解決するための手段】
【０００８】
本発明の実施形態に従う無線通信システムにおける端末がデータを送受信する方法において、前記方法は基地局からダウンリンク制御情報（downlink control information）を受信するステップ、前記ダウンリンク制御情報はダウンリンク共有チャンネルに対するバンドリングサイズ（bundling size）を設定するための指示子（Indicator）を含み、前記ダウンリンク制御情報に基づいて設定された前記ダウンリンク共有チャンネル（Downlink Shared Channel）を通じて前記基地局からダウンリンクデータ（Downlink Data）を受信するステップを含み、かつ前記バンドリングサイズは前記指示子の値によって設定される。
【０００９】
また、本発明は、前記基地局から前記バンドリングサイズに対する少なくとも１つの候補値を各々含む複数のバンドリングサイズ集合（bundling size set）を含む構成情報を受信するステップをさらに含む。
【００１０】
また、本発明で、前記指示子の値が‘０’の場合、前記複数のバンドリングサイズ集合のうちの１つの候補値を含む特定バンドリングサイズ集合が前記バンドリングサイズを設定するための集合で構成され、前記バンドリングサイズは前記特定バンドリングサイズ集合に含まれた候補値に決定される。
【００１１】
また、本発明で、前記指示子の値が‘１’の場合、前記複数のバンドリングサイズ集合のうちの２つの候補値を含むバンドリングサイズ集合が前記バンドリングサイズを設定するための集合で構成される。
【００１２】
また、本発明で、前記バンドリングサイズは周波数軸に連続的な物理資源ブロックの個数としきい値の比較結果によって前記２つの候補値のうちの１つの値に設定される。
【００１３】
また、本発明で、前記連続的な物理資源ブロックの個数が前記しきい値より大きい場合、前記バンドリングサイズは前記２つの候補値のうち、大きい値に設定される。
【００１４】
また、本発明で、前記連続的な物理資源ブロックの個数が前記しきい値より小さい場合、前記バンドリングサイズは前記２つの候補値のうち、小さい値に設定される。
【００１５】
また、本発明で、前記しきい値は活性化された帯域幅部分（Bandwidth Part：BWP）に対する帯域幅（Bandwidth）の資源ブロック個数（Resource Block）を２で割った値である。
【００１６】
また、本発明は、端末にダウンリンク制御情報（downlink control information）を転送するステップ、前記ダウンリンク制御情報はダウンリンク共有チャンネルに対するバンドリングサイズ（bundling size）を設定するための指示子（Indicator）を含み、及び前記ダウンリンク制御情報に基づいて設定された前記ダウンリンク共有チャンネル（Downlink Shared Channel）を通じて前記端末にダウンリンクデータ（Downlink Data）を転送するステップを含み、かつ前記バンドリングサイズは前記指示子の値によって設定されることを特徴とする、データ送受信方法を提供する。
【００１７】
また、本発明は、無線信号を送受信するためのRFモジュール（radio frequency module）、及び前記RFモジュールと機能的に連結されているプロセッサを含み、前記プロセッサは、基地局からダウンリンク制御情報（downlink control information）を受信し、かつ前記ダウンリンク制御情報はダウンリンク共有チャンネルに対するバンドリングサイズ（bundling size）を設定するための指示子（Indicator）を含み、前記ダウンリンク制御情報に基づいて設定された前記ダウンリンク共有チャンネル（Downlink Shared Channel）を通じて前記基地局からダウンリンクデータ（Downlink Data）を受信し、かつ前記バンドリングサイズは前記指示子の値によって設定される端末を提供する。
【発明の効果】
【００１８】
本発明の実施形態によれば、制御情報のオーバーヘッドを減少させ、バンドリングサイズを設定することができる効果がある。
【００１９】
また、本発明の実施形態によれば、少ない量の制御情報を通じてバンドリングサイズを流動的に設定または指示することができる効果がある。
【００２０】
また、本発明の実施形態によれば、スケジュールされた帯域幅（bandwidth）が大きい場合、同一なプリコーダーが適用される資源ブロック（Resource Block）係数を増加させてチャンネル推定の性能を向上させることができる効果がある。
【００２１】
本発明で得ることができる効果は以上で言及した効果に制限されず、言及しない更に他の効果は以下の記載から本発明が属する技術分野で通常の知識を有する者に明確に理解できるはずである。
【図面の簡単な説明】
【００２２】
本発明に関する理解を助けるために詳細な説明の一部として含まれる添付図面は、本発明に対する実施形態を提供し、詳細な説明と共に本発明の技術的特徴を説明する。
【００２３】
【図１】本明細書において提案する方法が適用できるNRの全体的なシステム構造の一例を示した図である。
【図２】本明細書において提案する方法が適用できる無線通信システムにおけるアップリンクフレームとダウンリンクフレームとの間の関係を示す。
【図３】本明細書において提案する方法が適用できる無線通信システムで支援する資源グリッド（resource grid）の一例を示す。
【図４】本明細書において提案する方法が適用され得るアンテナポート及びヌメロロジー別資源グリッドの例を示す。
【図５】本明細書において提案する方法が適用され得るｓｅｌｆ−ｃｏｎｔａｉｎｅｄ  ｓｌｏｔ構造の一例を示した図である。
【図６】本明細書で提案する方法が適用できる無線通信システムにおけるデータを送受信する端末の動作順序図を示す。
【図７】本明細書で提案する方法が適用できる無線通信システムにおけるデータを送受信する基地局の動作順序図を示す。
【図８】本発明の一実施形態に従う無線通信装置のブロック構成図を例示する。
【図９】本発明の一実施形態に従う通信装置のブロック構成図を例示する。
【図１０】本明細書で提案する方法が適用できる無線通信装置のRFモジュールの一例を示した図である。
【図１１】本明細書で提案する方法が適用できる無線通信装置のRFモジュールの更に他の一例を示した図である。
【発明を実施するための形態】
【００２４】
以下、本発明に従う好ましい実施形態を添付した図面を参照して詳細に説明する。添付した図面と共に以下に開示される詳細な説明は、本発明の例示的な実施形態を説明しようとするものであり、本発明が実施できる唯一の実施形態を示そうとするものではない。以下の詳細な説明は、本発明の完全な理解を提供するために、具体的な細部事項を含む。しかしながら、当業者は本発明がこのような具体的な細部事項無しでも実施できることが分かる。
【００２５】
幾つかの場合、本発明の概念が曖昧になることを避けるために公知の構造及び装置は省略されるか、または各構造及び装置の核心機能を中心としたブロック図形式に図示できる。
【００２６】
本明細書で、基地局は端末と直接的に通信を遂行するネットワークの終端ノード（terminal node）としての意味を有する。本文書で、基地局により遂行されるものとして説明された特定動作は、場合によっては、基地局の上位ノード（upper node）により遂行されることもできる。即ち、基地局を含む複数のネットワークノード（network nodes）からなるネットワークで、端末との通信のために遂行される様々な動作は基地局または基地局の以外の他のネットワークノードにより遂行できることは自明である。‘基地局（BS：Base Station）’は、固定局（fixed station）、Node B、eNB（evolved-NodeB）、BTS（base transceiver system）、アクセスポイント（AP：Access Point）、Gnb（ next generation NB, general NB, gNodeB) などの用語により取替できる。また、‘端末（Terminal）’は固定されるか、または移動性を有することができ、UE（User Equipment）、MS（Mobile Station）、UT（user terminal）、MSS（Mobile Subscriber Station）、SS（Subscriber Station）、AMS（Advanced Mobile Station）、WT（Wireless terminal）、MTC（Machine-Type Communication）装置、M2M（Machine-to-Machine）装置、D2D（Device-to-Device）装置などの用語に取替できる。
【００２７】
以下、ダウンリンク（DL：downlink）は基地局から端末への通信を意味し、アップリンク（UL：uplink）は端末から基地局への通信を意味する。ダウンリンクで、送信機は基地局の一部であり、受信機は端末の一部でありうる。アップリンクで、送信機は端末の一部であり、受信機は基地局の一部でありうる。
【００２８】
以下の説明で使用される特定用語は本発明の理解を助けるために提供されたものであり、このような特定用語の使用は本発明の技術的思想を逸脱しない範囲で異なる形態に変更できる。
【００２９】
以下の技術は、CDMA（code division multiple access）、FDMA（frequency division multiple access）、TDMA（time division multiple access）、OFDMA（orthogonal frequency division multiple access）、SC-FDMA（single carrier frequency division multiple access）、NOMA（non-orthogonalmultipleaccess）などの様々な無線接続システムに利用できる。CDMAは、UTRA（universal terrestrial radio access）やCDMA２０００のような無線技術（radio technology）で実現できる。TDMAは、GSM（global system for mobile communications）／GPRS（general packet radio service）／EDGE（enhanced data rates for GSM evolution）のような無線技術で実現できる。OFDMAは、IEEE ８０２．１１（WiFi）、IEEE ８０２．１６（WiMAX）、IEEE ８０２-２０、E-UTRA（evolved UTRA）などの無線技術で実現できる。UTRAは、UMTS（universal mobile telecommunications system）の一部である。３GPP（3rd generation partnership project）LTE（longterm evolution）は、E-UTRAを使用するE-UMTS（evolved UMTS）の一部であって、ダウンリンクでOFDMAを採用し、アップリンクでSC-FDMAを採用する。LTE-A（advanced）は３GPP LTEの進化である。
【００３０】
また, ５G NRは、usage scenarioによってeMBB（enhanced Mobile Broadband）、mMTC（massive Machine Type Communications）、URLLC（Ultra-Reliable and Low Latency Communications）、V2X（vehicle-to- verything）を定義する。
【００３１】
そして、５G NR規格（standard）はNRシステムとLTEシステムとの間の共存（co-existence）によってstandalone（SA）とnon standalone（NSA）とに区分する。
【００３２】
そして、５G NRは様々なサブキャリア間隔（subcarrier spacing）を支援し、ダウンリンクでCP-OFDMを、アップリンクでCP-OFDM及びDFT-s-OFDM（SC-OFDM）を支援する。
【００３３】
本発明の実施形態は無線接続システムであるIEEE ８０２、３GPP、及び３GPP２のうち、少なくとも１つに開示された標準文書により裏付けられる。即ち、本発明の実施形態のうち、本発明の技術的思想を明確に示すために説明しないステップまたは部分は前記文書により裏付けられる。また、本文書で開示している全ての用語は前記標準文書により説明できる。
【００３４】
説明を明確にするために、３GPP LTE／LTE, NR( New RAT) を中心として技術するが、本発明の技術的特徴がこれに制限されるものではない。
【００３５】
用語の定義
【００３６】
eLTE eNB：eLTE eNBは、EPC（Evolved Packet Core）及びNGC（Next Generation Core）に対する連結を支援するeNBの進化（evolution）である。
【００３７】
gNB：NGCとの連結だけでなく、NRを支援するノード。
【００３８】
新たなRAN：NRまたはE-UTRAを支援するか、またはNGCと相互作用する無線アクセスネットワーク。
【００３９】
ネットワークスライス（network slice）：ネットワークスライスは、終端間の範囲と共に特定要求事項を要求する特定市場シナリオに対して最適化されたソリューションを提供するようにoperatorにより定義されたネットワーク。
【００４０】
ネットワーク機能（network function）：ネットワーク機能は、よく定義された外部インターフェースとよく定義された機能的動作を有するネットワークインフラ内での論理的ノード。
【００４１】
NG-C：新たなRANとNGCとの間のNG２レファレンスポイント（reference point）に使用される制御平面インターフェース。
【００４２】
NG-U：新たなRANとNGCとの間のNG３レファレンスポイント（reference point）に使用されるユーザ平面インターフェース。
【００４３】
非独立型（Non-standalone）NR：gNBがLTE eNBをEPCに制御プレーン連結のためのアンカーとして要求するか、またはeLTE eNBをNGCに制御プレーン連結のためのアンカーとして要求する配置構成。
【００４４】
非独立型E-UTRA：eLTE eNBがNGCに制御プレーン連結のためのアンカーとしてgNBを要求する配置構成。
【００４５】
ユーザ平面ゲートウェイ：NG-Uインターフェースの終端点。
【００４６】
システム一般
【００４７】
図１は、本明細書で提案する方法が適用できるNRの全体的なシステム構造の一例を示した図である。
【００４８】
図１を参照すると、NG-RANはNG-RAユーザ平面（新たなAS sublayer／PDCP／RLC／MAC／PHY）及びUE（User Equipment）に対する制御平面（RRC）プロトコル終端を提供するgNBで構成される。
【００４９】
前記gNBは、Xnインターフェースを通じて相互連結される。
【００５０】
また、前記gNBは、NGインターフェースを通じてNGCに連結される。
【００５１】
より具体的には、前記gNBはN２インターフェースを通じてAMF（Access and Mobility Management Function）に、N３インターフェースを通じてUPF（User Plane Function）に連結される。
【００５２】
NRヌメロロジー（Numerology）及びフレーム（frame）構造
【００５３】
NRシステムでは、複数のヌメロロジー（numerology）が支援できる。ここで、ヌメロロジーはサブキャリア間隔（subcarrier spacing）とCP（Cyclic Prefix）オーバーヘッドにより定義できる。この際、複数のサブキャリア間隔は基本サブキャリア間隔を整数N（または、μ）にスケーリング（scaling）することにより誘導できる。また、非常に高い搬送波周波数で非常に低いサブキャリア間隔を利用しないと仮定されても、用いられるヌメロロジーは周波数帯域と独立的に選択できる。
【００５４】
また、NRシステムでは複数のヌメロロジーに従う様々なフレーム構造が支援できる。
【００５５】
以下、NRシステムで考慮できるOFDM（Orthogonal Frequency Division Multiplexing）ヌメロロジー及びフレーム構造を説明する。
【００５６】
NRシステムで支援される複数のOFDMヌメロロジーは、表１のように定義できる。
【００５７】
【表１】
2020505807.tif 000003
【００５８】
NRシステムにおけるフレーム構造（frame structure）と関連して、時間領域の様々なフィールドのサイズは
2020505807.tif 000004
の時間単位の倍数として表現される。ここで、
2020505807.tif 000005
であり、
2020505807.tif 000006
である。ダウンリンク（downlink）及びアップリンク（uplink）転送は
2020505807.tif 000007
の区間を有する無線フレーム（radio frame）で構成される。ここで、無線フレームは各々
2020505807.tif 000008
の区間を有する１０個のサブフレーム（subframe）で構成される。この場合、アップリンクに対する１セットのフレーム及びダウンリンクに対する１セットのフレームが存在することができる。
【００５９】
図２は、本明細書で提案する方法が適用できる無線通信システムにおけるアップリンクフレームとダウンリンクフレームとの間の関係を示す。
【００６０】
図２に示すように、端末（User Equipment、UE）からのアップリンクフレーム番号iの転送は、当該端末での該当ダウンリンクフレームの開始より
2020505807.tif 000009
以前に始めなければならない。
【００６１】
ヌメロロジーμに対して、スロット（slot）はサブフレーム内で
2020505807.tif 000010
の増加する順に番号が付けられて、無線フレーム内で
2020505807.tif 000011
の増加する順に番号が付けられる。１つのスロットは
2020505807.tif 000012
の連続するOFDMシンボルで構成され、
2020505807.tif 000013
は用いられるヌメロロジー及びスロット設定（slot configuration）によって決定される。サブフレームでスロット
2020505807.tif 000014
の開始は同一サブフレームでOFDMシンボル
2020505807.tif 000015
の開始と時間的に整列される。
【００６２】
全ての端末が同時に送信及び受信できるものではなく、これはダウンリンクスロット（downlink slot）またはアップリンクスロット（uplink slot）の全てのOFDMシンボルが利用できないことを意味する。
【００６３】
表２はヌメロロジーμでの一般（normal）CPに対するスロット当たりOFDMシンボルの数を示し、表３はヌメロロジーμでの拡張（extended）CPに対するスロット当たりOFDMシンボルの数を示す。
【００６４】
【表２】
2020505807.tif 000016
【００６５】
【表３】
2020505807.tif 000017
【００６６】
NR物理資源（NR Physical Resource）
【００６７】
NRシステムにおける物理資源（physical resource）と関連して、アンテナポート（antenna port）、資源グリッド（resource grid）、資源要素（resource element）、資源ブロック（resource block）、キャリアパート（carrier part）などが考慮できる。
【００６８】
以下、NRシステムで考慮できる前記物理資源に対して具体的に説明する。
【００６９】
先に、アンテナポートと関連して、アンテナポートはアンテナポート上のシンボルが運搬されるチャンネルが同一なアンテナポート上の他のシンボルが運搬されるチャンネルから推論できるように定義される。１つのアンテナポート上のシンボルが運搬されるチャンネルの広範囲特性（large-scale property）が他のアンテナポート上のシンボルが運搬されるチャンネルから類推できる場合、２つのアンテナポートはQC／QCL（quasico-locatedまたはquasi co-location）関係にあるということができる。ここで、前記広範囲特性は遅延拡散（Delay spread）、ドップラー拡散（Doppler spread）、周波数シフト（Frequency shift）、平均受信パワー（Average received power）、受信タイミング（Received Timing）のうち、１つ以上を含む。
【００７０】
図３は、本明細書において提案する方法が適用され得る無線通信システムで支援する資源グリッド（ｒｅｓｏｕｒｃｅ  ｇｒｉｄ）の一例を示す。
【００７１】
図３に示すように、資源グリッドが周波数領域上に
2020505807.tif 000018
サブキャリアで構成され、１つのサブフレームが１４・２μ  ＯＦＤＭシンボルで構成されることを例示的に技術するが、これに限定されるものではない。
【００７２】
ＮＲシステムにおいて、送信される信号（ｔｒａｎｓｍｉｔｔｅｄ  ｓｉｇｎａｌ）は、
2020505807.tif 000019
サブキャリアで構成される１つまたはそれ以上の資源グリッド及び
2020505807.tif 000020
のＯＦＤＭシンボルにより説明される。ここで、
2020505807.tif 000021
である。前記
2020505807.tif 000022
は、最大送信帯域幅を表し、これは、ヌメロロジーだけでなく、上向きリンクと下向きリンクとの間にも変わることができる。
【００７３】
この場合、図4のように、ヌメロロジー
2020505807.tif 000023
及びアンテナポートｐ別に１つの資源グリッドが設定され得る。
【００７４】
図４は、本明細書において提案する方法が適用され得るアンテナポート及びヌメロロジー別資源グリッドの例を示す。
【００７５】
ヌメロロジー
2020505807.tif 000024
及びアンテナポートｐに対する資源グリッドの各要素は、資源要素（ｒｅｓｏｕｒｃｅ  ｅｌｅｍｅｎｔ）と称され、インデックス対
2020505807.tif 000025
により固有的に識別される。ここで、
2020505807.tif 000026
は、周波数領域上のインデックスであり、
2020505807.tif 000027
は、サブフレーム内でシンボルの位置を称する。スロットで資源要素を称するときには、インデックス対
2020505807.tif 000028
が用いられる。ここで、
2020505807.tif 000029
である。
【００７６】
ヌメロロジー
2020505807.tif 000030
及びアンテナポートｐに対する資源要素
2020505807.tif 000031
は、複素値（ｃｏｍｐｌｅｘ  ｖａｌｕｅ）
2020505807.tif 000032
に該当する。混同（ｃｏｎｆｕｓｉｏｎ）される危険がない場合、あるいは特定アンテナポートまたはヌメロロジーが特定されなかった場合には、インデックスｐ及び
2020505807.tif 000033
は、ドロップ（ｄｒｏｐ）されることができ、その結果、複素値は、
2020505807.tif 000034
または
2020505807.tif 000035
になることができる。
【００７７】
また、物理資源ブロック（ｐｈｙｓｉｃａｌ  ｒｅｓｏｕｒｃｅ  ｂｌｏｃｋ）は、周波数領域上の
2020505807.tif 000036
連続的なサブキャリアで定義される。周波数領域上で、物理資源ブロックは、０から
2020505807.tif 000037
まで番号が付けられる。このとき、周波数領域上の物理資源ブロック番号（ｐｈｙｓｉｃａｌ  ｒｅｓｏｕｒｃｅ  ｂｌｏｃｋ  ｎｕｍｂｅｒ）
2020505807.tif 000038
と資源要素
2020505807.tif 000039
との間の関係は、数式１のように与えられる。
【００７８】
【数１】
2020505807.tif 000040
【００７９】
また、キャリアパート（ｃａｒｒｉｅｒ  ｐａｒｔ）と関連して、端末は、資源グリッドのサブセット（ｓｕｂｓｅｔ）だけを用いて受信または送信するように設定されることができる。このとき、端末が受信または送信するように設定された資源ブロックの集合（ｓｅｔ）は、周波数領域上で０から
2020505807.tif 000041
まで番号が付けられる。
【００８０】
ビーム管理（Beam management）
【００８１】
NRでビーム管理は次の通り定義される。
【００８２】
ビーム管理（Beam management）：DL及びUL送受信に使われることができるTRP及び／又はUEビームのセット（set）を獲得し維持するためのL１／L２手続きのセットであって、少なくとも次の事項を含む：
【００８３】
− ビーム決定：TRPまたはUEが自身の送信／受信ビームを選択する動作。
【００８４】
− ビーム測定：TRPまたはUEが受信されたビーム形成信号の特性を測定する動作。
【００８５】
− ビーム報告：UEがビーム測定に基盤してビーム形成された信号の情報を報告する動作。
【００８６】
− ビームスイーピング（Beam sweeping）：予め決定された方式により時間間隔の間、送信及び／又は受信されたビームを用いて空間領域をカバーする動作。
【００８７】
また、TRP及びUEでのTx／Rxビーム対応（correspondence）は、次の通り定義される。
【００８８】
− TRPでのTx／Rxビーム対応は、次のうちの少なくとも１つが満たされれば、維持される。
【００８９】
− TRPは、TRPの１つ以上の送信ビームに対するUEのダウンリンク測定に基づいてアップリンク受信のためのTRP受信ビームを決定することができる。
【００９０】
− TRPは、TRPの１つ以上のRxビームに対するTRPのアップリンク測定に基づいてダウンリンク転送に対するTRP Txビームを決定することができる。
【００９１】
− UEでのTx／Rxビーム対応は次のうちの少なくとも１つが満たされれば、維持される。
【００９２】
− UEは、UEの１つ以上のRxビームに対するUEのダウンリンク測定に基づいてアップリンク転送のためのUE Txビームを決定することができる。
【００９３】
− UEは、１つ以上のTxビームに対するアップリンク測定に基づいたTRPの指示に基づいてダウンリンク受信のためのUE受信ビームを決定することができる。
【００９４】
− TRPにUEビーム対応関連情報の能力指示が支援される。
【００９５】
次のようなDL  L１／L２ビーム管理手続きが１つまたは多数のTRP内で支援される。
【００９６】
P−１：TRP Txビーム／UE Rxビームの選択を支援するために相異するTRP Txビームに対するUE測定を可能にするために使われる。
【００９７】
− TRPでのビームフォーミングの場合、一般的に互いに異なるビームセットでイントラ（intra）／インター（inter）−TRP Txビームスイープ（sweep）を含む。UEでのビームフォーミングのために、それは通常的に相異するビームのセットからのUE Rxビームsweepを含む。
【００９８】
P−２：相異するTRP Txビームに対するUE測定がインター／イントラ− TRP Txビームを変更するようにするために使われる。
【００９９】
P−３：UEがビームフォーミングを使用する場合に同一なTRP Txビームに対するUE測定がUE Rxビームを変更させることに使われる。
【０１００】
少なくともネットワークによりトリガーされた非周期的報告（apreiodic reporting）はP−１、P−２、及びP−３関連動作で支援される。
【０１０１】
ビーム管理（少なくともCSI-RS）のためのRSに基づいたUE測定はK（ビームの総個数）ビームで構成され、UEは選択されたN個のTxビームの測定結果を報告する。ここで、Nは必ず固定された数ではない。移動性の目的のためのRSに基盤した手続きは排除されない。報告情報は少なくともN＜Kの場合、N個のビームに対する測定量及びN個のDL送信ビームを示す情報を含む。特に、UEがK'＞１ノン−ゼロ−パワー（NZP）CSI-RS資源に対して、UEはN’のCRI（CSI-RS資源指示子）を報告することができる。
【０１０２】
UEはビーム管理のために次のような上位階層パラメータ（higher layer parameter）に設定できる。
【０１０３】
− N≧１報告設定（setting）、M≧１資源設定
【０１０４】
− 報告設定と資源設定との間のリンクは合意されたCSI測定設定で設定される。
【０１０５】
− CSI-RS基盤P−１及びP−２は資源及び報告設定に支援される。
【０１０６】
− P−３は報告設定の有無に関係なく支援できる。
【０１０７】
− 少なくとも以下の事項を含む報告設定（reporting setting）
【０１０８】
− 選択されたビームを示す情報
【０１０９】
− L１測定報告（L１ measurement reporting）
【０１１０】
− 時間領域動作（例：非周期的（aperiodic）動作、周期的（periodic）動作、半−持続的（semi-persistent）動作）
【０１１１】
− 幾つの周波数細分性（frequency granularity）が支援される場合の周波数細分性
【０１１２】
− 少なくとも以下の事項を含むリソース設定（resource setting）
【０１１３】
− 時間領域動作（例：非周期的動作、周期的動作、半−持続的動作）
【０１１４】
− RS類型：少なくともNZP CSI-RS
【０１１５】
− 少なくとも１つのCSI-RS資源セット。各CSI-RS資源セットはK≧１ CSI-RS資源を含む（K個のCSI-RS資源の一部パラメータは同一でありうる。例えば、ポート番号、時間領域動作、密度、及び周期）
【０１１６】
また、NRはL＞１であるLグループを考慮して次のビーム報告を支援する。
【０１１７】
− 最小限のグループを示す情報
【０１１８】
− N１ビームに対する測定量（measurement quantity）（L１ RSRP及びCSI報告支援（CSI-RSがCSI獲得のための場合））
【０１１９】
− 適用可能な場合、Nl個のDL送信ビームを示す情報
【０１２０】
前述したようなグループ基盤のビーム報告はUE単位で構成することができる。また、前記グループ基盤のビーム報告はUE単位でターン−オフ（turn-off）できる（例えば、L=１またはNl=１の場合）。
【０１２１】
NRは、UEがビーム失敗から復旧するメカニズムをトリガーすることができることを支援する。
【０１２２】
ビーム失敗（beam failure）イベントは関連した制御チャンネルのビーム対リンク（beam pair link）の品質が十分に低い時に発生する（例えば、しきい値との比較、関連したタイマーのタイムアウト）。ビーム失敗（または、障害）から復旧するメカニズムはビーム障害が発生する時にトリガーされる。
【０１２３】
ネットワークは復旧の目的にUL信号を転送するための資源を有するUEに明示的に構成する。資源の構成は基地局が全体または一部方向から（例えば、random access region）聴取（listening）する個所で支援される。
【０１２４】
ビーム障害を報告するUL送信／資源はPRACH（PRACH資源に直交する資源）と同一な時間インスタンス（instance）に、またはPRACHと異なる時間インスタンス（UEに対して構成可能）に位置することができる。DL信号の送信はUEが新しい潜在的なビームを識別するためにビームをモニターできるように支援される。
【０１２５】
NRは、ビーム関連指示（beam-related indication）に関係なく、ビーム管理を支援する。ビーム関連指示が提供される場合、CSI-RS基盤測定のために使われたUE側ビーム形成／受信手続きに関する情報はQCLを通じてUEに指示できる。NRで支援するQCLパラメータにはLTEシステムで使用していたdelay、Doppler、average gainなどに対するパラメータだけでなく、受信端でのビームフォーミングのための空間パラメータが追加される予定であり、端末受信ビームフォーミング観点でangle of arrival関連パラメータ及び／又は基地局受信ビームフォーミング観点でangle of departure関連パラメータが含まれることができる。NRは、制御チャンネル及び該当データチャンネル転送で同一または相異するビームを使用することを支援する。
【０１２６】
ビーム対リンクブロッキング（beam pair link blocking）に対する堅固性（robustness）を支援するNR-PDCCH転送のために、UEは同時にM個のビーム対リンク上でNR-PDCCHをモニタリングするように構成できる。ここで、M≧１及びMの最大値は少なくともUE能力に依存することができる。
【０１２７】
UEは相異するNR-PDCCH OFDMシンボルで相異するビーム対リンク上のNR-PDCCHをモニタリングするように構成できる。多数のビーム対リンク上でNR-PDCCHをモニタリングするためのUE Rxビーム設定と関連したパラメータは上位階層シグナリングまたはMAC CEにより構成されるか、及び／又は探索空間設計で考慮される。
【０１２８】
少なくとも、NRはDL RSアンテナポートとDL制御チャンネルの復調のためのDL RSアンテナポートとの間の空間QCL仮定の指示を支援する。NR-PDCCH（即ち、NR-PDCCHをモニタリングする構成方法）に対するビーム指示のための候補シグナリング方法は、MAC CEシグナリング、RRCシグナリング、DCIシグナリング、スペックtransparent、及び／又は暗示的方法、及びこれらシグナリング方法の組合せである。
【０１２９】
ユニキャストDLデータチャンネルの受信のために、NRはDL RSアンテナポートとDLデータチャンネルのDMRSアンテナポートとの間の空間QCL仮定の指示を支援する。
【０１３０】
RSアンテナポートを示す情報はDCI（ダウンリンク許可）を通じて表示される。また、この情報はDMRSアンテナポートとQCLされているRSアンテナポートを示す。DLデータチャンネルに対するDMRSアンテナポートの相異するセットはRSアンテナポートの異なるセットとQCLとして示すことができる。
【０１３１】
以下、本明細書で提案する方法を具体的に説明する前に本明細書で提案する方法と直／間接的に関連した内容に対して先に簡略に説明する。
【０１３２】
５G、New Rat（NR）などの次世代通信では、より多い通信機器がより大きい通信容量を要求するようになるにつれて、既存のradio access technology（RAT）に比べて向上したmobile broadband通信に対する必要性が台頭されている。
【０１３３】
また、多数の機器及び事物を連結していつでもどこでも多様なサービスを提供するmassive MTC（Machine Type Communications）やはり次世代通信で考慮される主要問題の１つである。
【０１３４】
だけでなく、信頼性（reliability）及び遅延（latency）に敏感なサービス及び／又は端末（UE）を考慮した通信システムのデザインまたは構造が論議されている。
【０１３５】
このように、enhanced mobile broadband（eMBB）communication、massive MTC（mMTC）、URLLC（Ultra-Reliable and Low Latency Communication）などを考慮した次世代radio access technology（RAT）の導入が現在論議されており、本明細書では便宜上、該当technologyを‘new RAT（NR）’と通称することにする。
【０１３６】
Self-containedスロット構造
【０１３７】
TDDシステムでデータ転送のlatencyを最小化するために５世代New RAT（NR）では図５のようなself-contained slot structureを考慮している。
【０１３８】
即ち、図５は本明細書で提案する方法が適用できるself-contained slot構造の一例を示した図である。
【０１３９】
図５で、斜線を施した領域（５１０）はダウンリンク制御（downlink control）領域を示し、黒色部分（５２０）はアップリンク制御（uplink control）領域を示す。
【０１４０】
何の表示がない部分（５３０）はdownlink data転送のために使われることもでき、uplink data転送のために使われることもできる。
【０１４１】
このような構造の特徴は、１つのslot内でDL転送とUL転送が順次に進行され、１つのslot内でDL dataを送り、UL Ack／Nackも送受信することができる。
【０１４２】
このようなslotを‘self-contained slot’と定義することができる。
【０１４３】
即ち、このようなslot構造を通じて、基地局はデータ転送エラー発生時に端末にデータ再転送までかかる時間を減らすようになり、これによって最終データ伝達のlatencyを最小化することができる。
【０１４４】
このようなself-contained slot構造で、基地局と端末は送信モードから受信モードに転換する過程、または受信モードから送信モードに転換する過程のための時間間隔（time gap）が必要である。
【０１４５】
そのために、該当slot構造で、DLからULに転換される時点の一部OFDM symbolが保護区間（guard period、GP）に設定される。
【０１４６】
以下、本明細書では、ダウンリンクデータの送受信と関連してダウンリンク共有チャンネル（physical shared channel）（例：PDSCH（Physical Downlink Shared Channel））に適用されるPRBバンドリングのサイズ（Physical Resource Block bundling size）を設定及び／又は指示する方法について具体的に説明する。
【０１４７】
PRBバンドリングとは、データ転送時、隣接した多数この資源ブロック（すなわち、物理資源ブロック、PRB）に亘って同一なPMIを適用する動作を意味することができる。言い換えると、これは、端末がPMI報告及び／又はRI報告を遂行するために、周波数領域上の多数の資源ブロックをプリコーディング（precoding）のための１つのグラニュラリティ（granularity）と仮定することを意味することができる。
【０１４８】
また、ダウンリンク共有チャンネルに対するPRBバンドリングはDMRSバンドリング（DeModulation Reference Signal bundling）を意味するか、または称するものでありうる。
【０１４９】
この場合、プリコーディング資源ブロックグループ（Precoding Resource block Group、PRG）のサイズ（例：P’またはP’BWP、i）によってシステム帯域幅（system bandwidth）または帯域幅部分（bandwidth part、BWP）を分割することができる。各々のPRGは連続的なPRB（consecutive PRBs、contiguous PRBs）で構成できる。即ち、本明細書で説明されるPRBバンドリングサイズ（PRB bundling size）はPRGのサイズまたはPRG値を意味することができる。また、PRBバンドリングサイズを示す値（即ち、数字）は該当PRBバンドリングのためのPRBの数を意味することができる。
【０１５０】
この際、PRBバンドリングのサイズの設定は、PRBで用いられるプリコーダーの柔軟性（flexibility）及びチャンネル推定の品質の間のトレードオフ（trade-off）を考慮して決定される必要がある。具体的に、PRBバンドリングのサイズが非常に大きく設定される場合には、全てのPRBで同一なプリコーダーを利用しなければならない点によって柔軟性側面の短所が誘発できる。これとは異なり、PRBバンドリングのサイズが非常に小さく設定される場合には、チャンネル推定において複雑度が増加することがある。これによって、PRBバンドリングのサイズを設定することは前述したような側面を考慮して効率よく遂行される必要がある。
【０１５１】
ダウンリンクデータの転送と関連して、NRシステムでPRBバンドリングサイズの値は予め設定された値（例：１、２、４、８、１６など）のうち、特定値に選択される方式（以下、第１方式）及び／又は周波数領域上で該当端末に対して連続的にスケジューリングされた（即ち、割り当てられた）帯域幅（または、PRB）と同一な値に設定される方式（以下、第２方式）によって設定できる。この際、第１方式及び第２方式は互いに独立的に適用されるか、または２つ方式を混合して適用されることもできる。
【０１５２】
例えば、PRBバンドリングサイズ集合が｛２、４、端末割り当て帯域（例：広帯域（wideband））｝に設定される場合、PRBバンドリングサイズは前述した第１方式によって２または４のうち、いずれか１つの値に選択（または、決定）できる。または、この場合、PRBバンドリングサイズは前述した第２方式によって端末割り当て帯域に選択されることもできる。
【０１５３】
この際、PRBバンドリングサイズ集合が｛２、４、端末割り当て帯域（例：広帯域（wideband））｝のような候補値を含んでいる場合、PRBバンドリングサイズは以下のようにDCIフィールドの１ビット情報を通じて指示できる。
【０１５４】
例えば、DCIフィールドの１ビットが‘１’の値を指示する場合、PRBバンドリングサイズはRRCにより構成された１つまたは２つの候補値のうちの１つをPRBバンドリングサイズに決定することができる。
【０１５５】
この際、RRCにより２つの候補値が設定される場合、PRBバンドリングサイズはスケジュールされた帯域幅、資源ブロックグループ、サブバンドサイズ、PDCCH資源要素グループバンドリングサイズ、帯域幅部分、DMRSパターンなどにより暗示的に１つの値に決定できる。
【０１５６】
DCIフィールドの０ビットが‘０’の値を指示する場合、PRBバンドリングサイズはRRCにより構成された値に設定できる。
【０１５７】
仮に、UEがRBG（Resource Block Group）=２に設定される場合、UEはPRGの値が‘４’と期待しない。
【０１５８】
広範囲帯域幅でRBGサイズの集合は少なくとも２、［３、］４、［６、］８、１６の値を含むことができ、RBGサイズはデータのためのシンボルの個数によって変わることがある。
【０１５９】
RGBサイズは、ネットワークチャンネル帯域幅、設定された帯域幅部分のための帯域幅、ネットワークまたはダウンリンク制御情報により決定できる。
【０１６０】
アップリンク／ダウンリンクの資源割り当ては以下の表４のように設定されることができ、RRCにより選択できる。
【０１６１】
【表４】
2020505807.tif 000042
【０１６２】
RRCはConfig１またはConfig２を選択することができ、１つのconfigはRRCが異なるconfigで構成するまで基本値に設定できる。
【０１６３】
アップリンク／ダウンリンクのための構成は別途であるが、同一なテーブルが用いられることができ、持続期間（duration）に関係なく、同一なRGBサイズが利用できる。
【０１６４】
これと関連して、NRシステムではPRBバンドリングサイズを１ビット（１bit）値を通じて指示する方法が考慮されている。この場合、前述したように、DCIフィールドのバンドリングサイズを指示する指示個が‘０’の場合、RRCにより設定された１つの値がバンドリングサイズに設定できる。
【０１６５】
しかしながら、DCIフィールドでバンドリングサイズを指示する指示子の値が‘１’の場合、RRCにより２つの値が設定されることができ、この場合、２つの値のうち、バンドリングサイズを暗示的に設定するための方法が考慮される必要がある。
【０１６６】
前述した点を考慮して、本発明はバンドリングサイズを指示する指示子の値が‘１’の場合、バンドリングサイズを動的に指示するための暗示的決定方法を提案する。
【０１６７】
以下に説明される実施形態は説明の便宜のために区分されたものであり、ある実施形態の一部構成や特徴は他の実施形態に含まれることができ、または他の実施形態の対応する構成または特徴と交替できる。
【０１６８】
例えば、以下の第１実施形態で説明されるPRBバンドリングサイズ集合に対する内容は本明細書の多様な実施形態に対して共通的に適用できる。
【０１６９】
また、PRBバンドリングの設定及び／又は指示のために、以下の第１実施形態乃至第４実施形態で説明される方式（例：一般的なダウンリンクデータに対する方式）と第５実施形態で説明される方式（例：ブロードキャストダウンリンクデータに対する方式）が独立的に、または結合されて適用されることができ、その反対の場合も可能である。
【０１７０】
＜実施形態１＞
【０１７１】
バンドリングサイズを指示する指示子の値が‘１’の場合、バンドリングサイズは端末にPDSCH転送のために割り当てられた資源ブロックの個数によって決定できる。
【０１７２】
具体的に、PDSCH転送のために割り当てられた資源ブロックの個数が基準個数（例えば、特定しきい値）より大きい場合、RRCにより構成されたバンドリングサイズの候補値集合に含まれた候補値のうち、大きい値をバンドリングサイズに設定することができる。
【０１７３】
または、割り当てられた資源ブロックの個数の代わりにPDSCH転送のために端末に割り当てられた資源ブロックのうち、連続的に隣接した資源個数の最大値または最小値を基準RB値（または、しきい値）と比較してバンドリングサイズを暗示的に設定することができる。
【０１７４】
例えば、端末に割り当てられた資源ブロックが（１、２、３）、（６、７）、（１０）の場合、連続的に隣接した資源個数の最大値は３であり、最小値は１となる。
【０１７５】
この場合、端末は最大値または最小値をしきい値と比較して、比較結果によってRRCにより設定されたバンドリングサイズの候補値のうちの１つをバンドリングサイズに設定することができる。
【０１７６】
“割り当てられた資源ブロックの個数”、“割り当てられた資源ブロックのうち、連続的に隣接した資源ブロック個数の最大値または最小値”及び“基準個数（しきい値）”はネットワークが上位階層RRCシグナリングを通じて別途に設定することができ、割り当てられた資源ブロックの個数、割り当てられた資源ブロックのうち、連続的に隣接した資源ブロック個数の最大値、及び最小値のうち、どの値をしきい値と比較してバンドリングサイズを決定するか否かは基地局がRRCシグナリングを通じて端末に指示することができる。
【０１７７】
＜実施形態１−１＞
【０１７８】
前記実施形態１で、バンドリングサイズを決定するための基準個数（しきい値）は各々の活性化された帯域幅部分（active bandwidth part）の帯域幅、活性化帯域幅部分サイズ、または帯域幅部分サイズ、
2020505807.tif 000043
）によって決定できる。
【０１７９】
例えば、キャリアBWP１で５０RBを活用する場合、割り当てられた資源が１０RB以上であれば、RRCにより構成されたバンドリングサイズの候補値集合｛２、４｝、｛２、スケジュールされた帯域幅（Scheduled BW）｝、｛４、スケジュールされた帯域幅｝のうち、大きい値をバンドリングサイズに設定（または、決定）する。
【０１８０】
この際、データ転送のために割り当てられたRB個数に関係なく、端末と基地局はスケジューリングされた帯域幅の値を２または４より大きい値に仮定してバンドリングサイズを決定することができる。
【０１８１】
BWP２で１００RBを活用する場合にはBWP１とは異なり、しきい値を変更して割り当てられた資源が２０RB以上の場合に、バンドリングサイズの候補値集合でより大きい値をバンドリングサイズに設定することができる。
【０１８２】
即ち、バンドリングサイズを決定するための基準RB個数であるしきい値は以下の数式２のように各々の活性化された帯域幅部分（active bandwidth part）の帯域幅、活性化帯域幅部分サイズ、または帯域幅部分サイズ、
2020505807.tif 000044
）を２で割った値でありうる。
【０１８３】
【数２】
2020505807.tif 000045
【０１８４】
この際、数式２でしきい値は各々の活性化された帯域幅部分（active bandwidth part）の帯域幅、活性化帯域幅部分サイズ、または帯域幅部分サイズ、
2020505807.tif 000046
）を２で割った値の切上げ値、切下げ値、または四捨五入値に設定できる。
【０１８５】
割り当てられたRBの個数によってバンドリングサイズを決定する場合、割り当てられたRB個数が小さければ、小さいバンドリングサイズを通じてプリコーダーサイクリング（precoder cycling）を遂行してダイバーシティ（diversity）効果を得ることができる。
【０１８６】
基準になるRBの個数であるしきい値は、システム帯域幅、コンポーネントキャリアの帯域幅、または端末特定（UE-Specific）帯域幅によって決定できる。
【０１８７】
または、しきい値は端末に構成された（configured）BWPのうち、活性化BWP（active BWP）が連続的に隣接するように、または非連続的に多数存在する場合、多数の活性化されたBWPにおいて１つのDCI設定にPDSCHを転送すれば、各活性化BWP BWの総個数、最小値、または最大値によって決定できる。
【０１８８】
例えば、活性化BWP１で１０RBを使用し、活性化BWP２で２０RBを用いる場合、BWの総個数である３０RB、最小値である１０RB、または最大値である２０RBに基づいてしきい値が決定できる。
【０１８９】
＜実施形態１−２＞
【０１９０】
実施形態１−１とは異なり、しきい値はRBGサイズによって決定できる。例えば、RGBサイズが｛１、２、４｝の場合、割り当てられた資源が１０RB以上であれば、バンドリングサイズの候補値集合｛２、４｝、｛２、スケジュールされた帯域幅（Scheduled BW）｝、｛４、スケジュールされた帯域幅｝のうち、大きい値をバンドリングサイズに設定（または、決定）する。
【０１９１】
しかしながら、RGBサイズが｛８、１６｝の場合には、しきい値を変更して割り当てられた資源が２０RB以上であれば、バンドリングサイズの候補値集合｛２、４｝、｛２、スケジュールされた帯域幅（Scheduled BW）｝、｛４、スケジュールされた帯域幅｝のうち、大きい値をバンドリングサイズに設定（または、決定）することができる。
【０１９２】
提案１−１及び１−２で説明した方法を用いると、割り当てられたRB個数が少ない場合、小さいバンドリングサイズを通じてプリコーダーサイクリングを遂行してダイバーシティ効果を得ることができる
【０１９３】
即ち、提案１乃至１−２には、PRBのバンドリングサイズを流動的に設定する場合、DCIフィールドのバンドリングサイズを指示する指示子の値によってバンドリングのサイズが設定できる。
【０１９４】
この際、端末はバンドリングサイズの候補値を含む候補値集合は基地局からRRCシグナリングを通じて獲得することができる。
【０１９５】
具体的に、DCIの値が‘０’の場合、端末は同一なDCIによりスケジューリングされたPDSCHを受信する時、前記候補値の集合のうち、１つの候補値を含む候補値集合を選択し、選択された候補値集合に含まれた値をバンドリングサイズに設定することができる。
【０１９６】
DCIの値が‘１’の場合、端末は同一なDCIによりスケジューリングされたPDSCHを受信する時、前記候補値の集合のうち、１つ以上の候補値を含む候補値集合を選択する。
【０１９７】
選択された候補値集合に１つ以上の値が含まれた場合、端末は２つの値のうちの１つの値を選択してバンドリングのサイズに設定することができる。
【０１９８】
この際、２つの値のうちの１つを選択することは、端末に暗示的（implicit）に端末に指示できる。
【０１９９】
具体的に、端末は連続したPRBの個数が前述したしきい値より大きければ、候補値集合に含まれた値のうち、大きい値をバンドリングサイズに設定し、でなければ、端末は小さい値をバンドリングサイズに設定することができる。
【０２００】
例えば、端末は候補値集合が｛２、wideband｝または｛４、wideband｝の場合、連続的に隣接したPRBの個数がしきい値より大きい場合、wideband値をバンドリングサイズに設定し、でなければ、２または４をバンドリングサイズに設定することができる。
【０２０１】
＜提案２＞
【０２０２】
バンドリングサイズを指示する指示子の値が‘１’の場合、バンドリングサイズは端末に設定された資源割り当てタイプによって暗示的に決定できる。
【０２０３】
具体的に、LTEでダウンリンク資源の割り当てはタイプによって異なるように設定できる。即ち、ダウンリンク資源の設定のための資源割り当てタイプは０、１、２に定義できる。
【０２０４】
資源割り当てタイプ０はBWPによってRBG単位で資源が割り当てられ、資源割り当てタイプ１はBWPに従う連続したRBGで構成されたサブセット内でダウンリンク転送が発生するRBをビットマップで端末に知らせることによって資源が割り当てられる。資源割り当てタイプ２は、資源割り当てが始まるRB番号と長さを知らせる ことによって、連続したRB資源が割り当てられるが、資源割り当てタイプ２の場合、また地域化された（localized）転送と分散された（distributed）転送とに分けられる。
【０２０５】
資源割り当てタイプ２の地域化された転送の場合、連続的なRB資源が端末にそのまま割り当てられ、分散された転送の場合、BWPに従うギャップサイズ（gap size）によって各RBは周波数領域に均等に分散されて端末に割り当てられる。
【０２０６】
NRダウンリンクではLTEでの資源割り当てタイプ０及び２の地域化された資源割り当てが支援されることができ、タイプ２の分散された資源割り当ても支援できる。これによって、端末に割り当てられた資源割り当てタイプに基づいてバンドリングサイズは暗示的に設定できる。
【０２０７】
＜提案２−１＞
【０２０８】
提案２で説明した資源割り当てタイプ０で、RRCにより構成されたバンドリングサイズの候補値集合が｛２、４｝及び｛２、scheduled BW｝の場合、RBGサイズが｛１、２｝であれば、バンドリングサイズは小さい値に設定され、RGBサイズが｛４、８、１６｝であれば、バンドリングサイズは大きい値に設定される。
【０２０９】
また、候補値集合が｛４、スケジュールされたBW｝の場合、RBGのサイズが｛１、２、４｝であれば、バンドリングサイズは小さい値に設定され、RBGサイズが｛８、１６｝であれば、バンドリングサイズは大きい値に設定される。
【０２１０】
この場合、連続的に割り当てられたRBGのサイズが大きい場合、隣接した周波数領域で多い数のDMRSシンボルを用いて高いチャンネル推定性能を得ることができる。
【０２１１】
提案２−１は、資源割り当てタイプが‘０’の場合、バンドリングサイズを設定するための方法であるが、これに限定されず、資源割り当てタイプに関係なく、バンドリングサイズを設定するための方法にも適用できる。
【０２１２】
活性化BWPがMACシグナリングを通じて流動的に変わることができるところ、端末のRGB（活性化BWPのサイズに決定される）は流動的に変わることができ、結果的にバンドリングサイズも流動的に変わることができる。
【０２１３】
＜提案２−２＞
【０２１４】
資源割り当てタイプがタイプ２であり、分散された転送がDCIに設定されれば、RRCにより構成された候補値集合｛２、４｝、｛２、スケジュールされたBW｝、｛４、スケジュールされたBW｝のうち、各集合で小さい値をバンドリングサイズに設定する。
【０２１５】
資源割り当てタイプ２の分散された転送はBWPによって周波数領域で均一に分布した非連続的なRB資源が割り当てられる方法であるので、割り当てられたRB別にコヒーレント（coherent）周波数から外れる可能性が高いので、バンドリングサイズを大きく設定することは無意味でありうる。
【０２１６】
資源割り当てタイプ２で分散された転送に設定されれば、端末はDCIでバンドリングサイズを指示する指示子（フィールド値）を無視し、候補値集合で最も小さい値をバンドリングサイズに仮定するか、またはバンドリングを適用しないことがある。
【０２１７】
即ち、PRBバンドリングをオフして各RB別に互いに異なるプリコーダーが適用されるようにすることができる。
【０２１８】
＜提案２−３＞
【０２１９】
資源割り当てタイプがタイプ２であり、地域化された転送がDCIに設定されれば、RRCにより構成された候補値集合｛２、４｝、｛２、スケジュールされたBW｝、｛４、スケジュールされたBW｝のうち、各集合で大きい値をバンドリングサイズに設定する。
【０２２０】
この場合、連続的に割り当てられたRBから隣接した周波数領域で多い数のDMRSシンボルを活用して提案２−１でのように高いチャンネル推定性能を獲得することができる。
【０２２１】
または、資源割り当てタイプ２の地域化された転送の場合、提案１の方法を用いてバンドリングサイズを設定し、その以外の資源割り当てタイプでは提案２で説明した資源割り当てタイプに従うバンドリングサイズを決定するための方法を用いることができる。
【０２２２】
＜提案３＞
【０２２３】
提案１及び提案２とは異なり、DCIのバンドリングサイズと関連した指示子が‘１’の値を有する場合、端末にDCIに設定された多重アンテナ情報のうち、階層（layer）の数によってバンドリングサイズを設定することができる。
【０２２４】
例えば、DCIにより設定された階層の数が２つ以下である場合、RRCにより構成された候補値集合である｛２、４｝、｛２、スケジュールされたBW｝、｛４、スケジュールされたBW｝のうち、各集合で大きい値がバンドリングサイズに設定できる。
【０２２５】
仮に、DCIにより設定された階層の数が３個以上である場合、候補値集合のうち、各集合で小さい値がバンドリングサイズに設定できる。
【０２２６】
SNRが固定されている場合、階層の数が多くなるということは、独立的な送受信経路の個数が増加することを意味するので、全体送受信経路の数も増加することができる。
【０２２７】
送受信経路が増加する場合、遅延拡散（Delay spread）の増加などによって送受信チャンネルの周波数選択性（selectivity）が大きくなることができる。
【０２２８】
チャンネルの周波数選択性が大きい場合、小さいバンドリングサイズを通じて周波数選択利得（frequency selective gain）を獲得することができる。
【０２２９】
＜提案４＞
【０２３０】
DCIのバンドリングサイズと関連した指示子が‘１’の値を有する場合、MU（Multi User）-MIMOにスケジューリングされた端末はRRCにより構成された候補値集合｛２、４｝、｛２、スケジュールされたBW｝、｛４、スケジュールされたBW｝のうち、各集合で小さい値をバンドリングサイズに設定する。
【０２３１】
任意の端末に割り当てられたRBのうち、SUに割り当てられたRBとMU-MIMOに割り当てられたRBが共存する場合、大きいバンドリングサイズは各RBに効率よいプリコーダーを適用するに当たって妨げになることがある。
【０２３２】
例えば、スケジュールされたBWが１０RBであり、MU-MIMOに割り当てられたRBが１RB、SUに割り当てられたRBが９RBである場合、バンドリングサイズがスケジュールされたBWである１０RBに設定され、MU-MIMOに割り当てられた１RBのためにスケジュールされたBWで全部ゼロZero-Forcingプリコーダーが使われれば、SUに割り当てられた９RBに必要のないビームフォーミングが遂行できる。
【０２３３】
この際、２または４のような小さいバンドリングサイズが設定されれば、不必要にビームフォーミングが遂行されるRBの個数を減少させることができる。
【０２３４】
端末は、基地局からMU-MIMOにco-scheduleされる他の端末のDMRSポート情報またはCDM方式を用いて多重化されるDMRS CDMグループ情報をDCIとして受信する。
【０２３５】
端末は、受信したDCIを通じて端末がMU-MIMOにスケジューリングされるか否かを認識（または、判断）することができ、これによって、提案４で説明した方法によりバンドリングサイズを決定することができる。
【０２３６】
または、端末はMU-MIMOが適用されるか否かをDMRSシンボルの特定ポートまたはCDMグループのレートマッチング（rate matching）有無により判断することができる。
【０２３７】
また、端末はMU-MIMOの適用有無だけでなく、MUペアリングされた他の端末の総階層数または自身に割り当てられた階層数と他の端末に割り当てられた総階層数の比によってバンドリングサイズを決定することができる。
【０２３８】
または、端末はDMRSシンボルでレートマッチングが指示されたポート数またはCDMグループ数が一定の値（しきい値）以上（または、超過）か否かによってバンドリングサイズを決定するか、または自身に割り当てられたDMRSポート数またはRE数とレートマッチングが指示されたポート数またはRE数の比が一定値以上（または、超過）か否かによってバンドリングサイズを決定することができる。
【０２３９】
この際、前述した方法のうち、２つ以上の方法によりDCIのバンドリングサイズを指示する指示子の値が‘１’である時、バンドリングサイズが決定できる。
【０２４０】
例えば、提案１乃至３の方式で、特定の場合に提案４の方式によりバンドリングサイズを決定し、かつ提案４の方法は提案１乃至提案３の方法に優先して遂行できる。
【０２４１】
本発明の更に他の実施形態に、候補値の集合が３個の値を含む場合、提案１乃至３でのしきい値を２つに設定してバンドリングサイズを決定することができる。この場合、提案４はMU-MIMOにスケジュールされた端末は３個の候補値のうち、最も小さい値をバンドリングサイズに設定することができる。
【０２４２】
提案１乃至４でRBGサイズによって基準RBであるしきい値を決定するか、またはRBGサイズによってPRGが決定される方法でRBGの代わりに（CSI計算で使われる）サブバンドサイズが使われることができる。
【０２４３】
即ち、サブバンドサイズによって基準RBであるしきい値が決定されるか、またはPRGが決定できる。
【０２４４】
この際、RGBの候補値とサブバンドの候補値は互いに異なるので、RBG値はサブバンド値に適切に代替できる。
【０２４５】
RGB値とサブバンド値は全て活性化BWPのBWに決定されるので、RBG値をサブバンド値に代替する時、RBG値に該当するBWPのBWを計算し、該当BWにより決定されるサブバンド値に代替することができる。
【０２４６】
＜提案５＞
【０２４７】
スケジューリングDCIを通じて資源割り当てタイプ１の分散された転送が設定される場合、連続的なVRB（Virtual Resource Block）はRB pair単位でインターリービング（interleaving）されてPRBドメインに分散配置される。
【０２４８】
以後、RB pair内でも各RBは活性化BWPのBWサイズ別に規定されるギャップサイズ（gap size）間隔で配置される。
【０２４９】
VRBが分散配置される場合、VRBが分散されるパターンまたはインターリービング方式は多様な方法により遂行できる。
【０２５０】
この際、インターリービングの単位によってバンドリングサイズを暗示的に決定する方法が変わることができる。
【０２５１】
第１に、RB単位でVRBがインターリービングされる場合、RRCにより構成された候補値集合で、小さい値がバンドリングサイズに設定できる。例えば、候補値集合が｛２、４｝、｛２、スケジュールされたBW｝の場合、バンドリングサイズは‘２’に決定され、｛４、スケジュールされたBW｝の場合、バンドリングサイズは‘４’に決定できる。
【０２５２】
任意の端末のために割り当てられたRB個数が多くなれば、割り当てられたVRBはインターリービングを経てもPRBドメインで隣接する可能性が大きい。したがって、最小２または４のバンドリングサイズは隣接したRBでバンドリングサイズが‘１’の場合より多い数のDMRSシンボルを活用することができ、この場合、チャンネル推定性能が向上できる。
【０２５３】
仮に、候補値集合が｛４、scheduled BW｝の場合、小さい値である‘４’をバンドリングサイズに選択することが非効率的であると判断される場合、ネットワークはDCIのバンドリングサイズを示す指示子（または、フィールド）を‘０’に設定してバンドリングサイズを‘２’に設定することができる。
【０２５４】
または、分散された資源割り当てタイプ１（distributed RA type１）でRB単位でVRBをインターリービングする場合に、バンドリングサイズは常に２に設定できる。
【０２５５】
第２に、RBG単位でVRBがインターリービングされる場合、チャンネル推定性能を向上させるために最小限RBG単位のPRGサイズが考慮されなければならないので、PRGサイズは構成されたRBGサイズに設定できる。
【０２５６】
または、RBG単位でインターリービングが遂行されても特定端末に割り当てられたRBGの個数が多い場合、割り当てられたRBGの間に隣接する可能性がある。
【０２５７】
したがって、活性化BWP BWのサイズによって、またはインターリービング方式によって実質的に端末に割り当てられるRBG個数にしきい値を設定して割り当てられるRBG個数がしきい値を超過すれば、PRGサイズは以下の数式３のように設定できる。
【０２５８】
【数３】
2020505807.tif 000047
【０２５９】
この際、数式３でNは‘２’の値を有することができる。
【０２６０】
割り当てられるRBG個数がしきい値を超過しなければ、PRGサイズは構成されたRBGサイズに設定できる。
【０２６１】
または、提案２−１のようにPRGサイズはRGBサイズに基づいて暗示的に決定できる。
【０２６２】
本発明の更に他の実施形態に、スケジューリングDCIを通じて分散された資源割り当てタイプ１が設定され、RB単位でVRBをPRBにインターリービングする場合、前述したように、任意の端末のデータ転送のために割り当てられたRB個数が増加すれば、該当RBがインターリーバ（interleaver）を通じてインターリービングされても実際PRBドメインで隣接する確率が大きくなる。
【０２６３】
この場合、活性化BWP BWのサイズによって、またはインターリービング方式によって割り当てられるRBの個数にしきい値を設定することができる。
【０２６４】
仮に、割り当てられるRBの個数がしきい値を超過する場合、DCIのバンドリングサイズを指示するための指示子（または、１bitフィールド）が“１”であれば、RRCにより構成された候補値集合で小さい値をバンドリングサイズに決定する。
【０２６５】
しかしながら、割り当てられたRBの個数がしきい値を超過しない場合、例外的にバンドリングサイズを“１”に設定することができる。
【０２６６】
この際、PRG=１が候補値に含まれる場合、バンドリングサイズが“１”に設定できる。
【０２６７】
または、バンドリングサイズを指示するための指示子（または、１bitフィールド）の値に関係なく、バンドリングをオフして遂行しないことがある（即ち、PRG=１RB）。
【０２６８】
＜提案６＞
【０２６９】
提案１乃至提案６で、DCIのバンドリングサイズを指示するための指示子（または、１bitフィールド）のためにRRCにより構成された候補値集合｛２、スケジュールされたBW｝、｛４、スケジュールされたBW｝でスケジュールされたBWであるデータ転送のために割り当てられたRBの個数が２または４より小さい場合、端末と基地局は２または４よりスケジューリングされたBWがより小さいと仮定して提案１乃至提案５の方式を用いてバンドリングサイズを設定することができる。
【０２７０】
図６は、本明細書で提案する方法が適用できる無線通信システムにおけるデータを送受信する端末の動作順序図を示す。図６は単に説明の便宜のためのものであり、本発明の範囲を制限するものでない。
【０２７１】
図６を参考すると、該当端末は前述した本明細書の実施形態で説明された方法を遂行することができる。特に、該当端末は提案１乃至提案６で説明された方法を支援することができる。図６ではこれと関連して前述した内容と重複する具体的な説明は省略する。
【０２７２】
まず、端末は基地局からダウンリンク制御情報（DCI）を受信することができる（Ｓ６０１０）。
【０２７３】
この際、DCIは提案１乃至６で説明したバンドリングサイズを指示するための指示子（または、１bitフィールド）を含むことができる。
【０２７４】
この後、ダウンリンク制御情報に基づいて設定されたダウンリンク共有チャンネル（Downlink Shared Channel）を通じて基地局からダウンリンクデータ（Downlink Data）を受信することができる（Ｓ６０２０）。
【０２７５】
この際、ダウンリンク共有チャンネルに対するバンドリングサイズ（bundling size）は特定数の物理資源ブロックまたは端末に割り当てられた周波数資源領域のサイズに設定できる。ここで、特定数の物理資源ブロックを示す値はダウンリンク共有チャンネルのために予め設定された候補値集合（candidate value set）に含まれることができる。
【０２７６】
候補値集合はRRCシグナリングを通じて獲得されることができ、各々の候補値集合は提案１乃至６で説明した候補値を含むことができる。
【０２７７】
バンドリングサイズは指示子または１bitフィールドの値によって提案１乃至６で説明した方法により暗示的に設定できる。
【０２７８】
例えば、提案１で説明したように、指示子または１bitフィールドの値が‘０’の場合、RRCにより構成された値によりバンドリングサイズは設定できる。
【０２７９】
しかしながら、指示子または１bitフィールドの値が‘１’の場合、連続的なPRBの個数としきい値を比較結果によってバンドリングサイズが決定できる。
【０２８０】
具体的に、連続的なPRBの係数がしきい値より大きい場合、候補値集合に含まれた値のうち、大きい値がバンドリングサイズに設定され、そうでない場合、残りの値がバンドリングサイズに設定できる。
【０２８１】
この際、しきい値は先の提案１で説明したように活性化された帯域幅部分（Bandwidth Part：BWP）に対する帯域幅（Bandwidth）の資源ブロック個数（Resource Block）を２で割った値でありうる。
【０２８２】
端末は、以下の図８乃至図１１に図示したように、プロセッサ、RFユニット、及びメモリーで構成されることができ、プロセッサはRFユニットが基地局からダウンリンク制御情報（Downlink Control Information：DCI）を受信し、ダウンリンク制御情報に基づいて設定されたダウンリンク共有チャンネル（Downlink Shared Channel）を通じて基地局からダウンリンクデータ（Downlink Data）を受信するように制御することができる。
【０２８３】
この際、DCIは提案１乃至６で説明したバンドリングサイズを指示するための指示子（または、１bitフィールド）を含むことができる。
【０２８４】
ダウンリンク共有チャンネルに対するバンドリングサイズ（bundling size）は特定数の物理資源ブロックまたは端末に割り当てられた周波数資源領域のサイズに設定できる。ここで、特定数の物理資源ブロックを示す値はダウンリンク共有チャンネルのために予め設定された候補値集合（candidate value set）に含まれることができる。
【０２８５】
候補値集合はRRCシグナリングを通じて獲得されることができ、各々の候補値集合は提案１乃至６で説明した候補値を含むことができる。
【０２８６】
バンドリングサイズは、指示子または１bitフィールドの値によって提案１乃至６で説明した方法により暗示的に設定できる。
【０２８７】
例えば、提案１で説明したように、指示子または１bitフィールドの値が‘０’の場合、RRCにより構成された値によりバンドリングサイズは設定できる。
【０２８８】
しかしながら、指示子または１bitフィールドの値が‘１’の場合、連続的なPRBの個数としきい値を比較結果によってバンドリングサイズが決定できる。
【０２８９】
具体的に、連続的なPRBの係数がしきい値より大きい場合、候補値集合に含まれた値のうち、大きい値がバンドリングサイズに設定され、そうでない場合、残りの値がバンドリングサイズに設定できる。
【０２９０】
この際、しきい値は先の提案１で説明したように、活性化された帯域幅部分（Bandwidth Part：BWP）に対する帯域幅（Bandwidth）の資源ブロック個数（Resource Block）を２で割った値でありうる。
【０２９１】
図７は、本明細書で提案する方法が適用できる無線通信システムにおけるデータを送受信する基地局の動作順序図を示す。
【０２９２】
図７は単に説明の便宜のためのものであり、本発明の範囲を制限するものでない。
【０２９３】
図７を参考すると、該当基地局は前述した本明細書の実施形態で説明された方法を遂行することができる。特に、該当基地局は提案１乃至提案６で説明された方法を支援することができる。図７ではこれと関連して前述した内容と重複する具体的な説明は省略する。
【０２９４】
まず、基地局は端末にダウンリンク制御情報を転送することができる（Ｓ７０１０）。
【０２９５】
この際、DCIは提案１乃至６で説明したバンドリングサイズを指示するための指示子（または、１bitフィールド）を含むことができる。
【０２９６】
以後、ダウンリンク制御情報に基づいて設定されたダウンリンク共有チャンネル（Downlink Shared Channel）を通じて基地局は端末にダウンリンクデータ（Downlink Data）を転送することができる（Ｓ７０２０）。
【０２９７】
この際、DCIは提案１乃至６で説明したバンドリングサイズを指示するための指示子（または、１bitフィールド）を含むことができる。
【０２９８】
ダウンリンク共有チャンネルに対するバンドリングサイズ（bundling size）は特定数の物理資源ブロックまたは端末に割り当てられた周波数資源領域のサイズに設定できる。ここで、特定数の物理資源ブロックを示す値はダウンリンク共有チャンネルのために予め設定された候補値集合（candidate value set）に含まれることができる。
【０２９９】
候補値集合はRRCシグナリングを通じて獲得されることができ、各々の候補値集合は提案１乃至６で説明した候補値を含むことができる。
【０３００】
バンドリングサイズは指示子または１bitフィールドの値によって提案１乃至６で説明した方法により暗示的に設定できる。
【０３０１】
例えば、提案１で説明したように、指示子または１bitフィールドの値が‘０’の場合、RRCにより構成された値によりバンドリングサイズは設定できる。
【０３０２】
しかしながら、指示子または１bitフィールドの値が‘１’の場合、連続的なPRBの個数としきい値を比較結果によってバンドリングサイズが決定できる。
【０３０３】
具体的に、連続的なPRBの係数がしきい値より大きい場合、候補値集合に含まれた値のうち、大きい値がバンドリングサイズに設定され、そうでない場合、残りの値がバンドリングサイズに設定できる。
【０３０４】
この際、しきい値は先の提案１で説明したように、活性化された帯域幅部分（Bandwidth Part：BWP）に対する帯域幅（Bandwidth）の資源ブロック個数（Resource Block）を２で割った値でありうる。
【０３０５】
基地局は、以下の図８乃至図１１に図示したように、プロセッサ、RFユニット、及びメモリーで構成されることができ、プロセッサはRFユニットが端末にダウンリンク制御情報を転送し、ダウンリンク制御情報に基づいて設定されたダウンリンク共有チャンネル（Downlink Shared Channel）を通じて端末にダウンリンクデータ（Downlink Data）を転送するように制御することができる。
【０３０６】
この際、DCIは提案１乃至６で説明したバンドリングサイズを指示するための指示子（または、１bitフィールド）を含むことができる。
【０３０７】
ダウンリンク共有チャンネルに対するバンドリングサイズ（bundling size）は特定数の物理資源ブロックまたは端末に割り当てられた周波数資源領域のサイズに設定できる。ここで、特定数の物理資源ブロックを示す値はダウンリンク共有チャンネルのために予め設定された候補値集合（candidate value set）に含まれることができる。
【０３０８】
候補値集合はRRCシグナリングを通じて獲得されることができ、各々の候補値集合は提案１乃至６で説明した候補値を含むことができる。
【０３０９】
バンドリングサイズは指示子または１bitフィールドの値によって提案１乃至６で説明した方法により暗示的に設定できる。
【０３１０】
例えば、提案１で説明したように、指示子または１bitフィールドの値が‘０’の場合、RRCにより構成された値によりバンドリングサイズは設定できる。
【０３１１】
しかしながら、指示子または１bitフィールドの値が‘１’の場合、連続的なPRBの個数としきい値を比較結果によってバンドリングサイズが決定できる。
【０３１２】
具体的に、連続的なPRBの係数がしきい値より大きい場合、候補値集合に含まれた値のうち、大きい値がバンドリングサイズに設定され、そうでない場合、残りの値がバンドリングサイズに設定できる。
【０３１３】
この際、しきい値は先の提案１で説明したように、活性化された帯域幅部分（Bandwidth Part：BWP）に対する帯域幅（Bandwidth）の資源ブロック個数（Resource Block）を２で割った値でありうる。
【０３１４】
本発明が適用できる装置一般
【０３１５】
図８は、本発明の一実施形態に従う無線通信装置のブロック構成図を例示する。
【０３１６】
図８を参照すると、無線通信システムは、基地局（または、ネットワーク）８１０と端末８２０を含む。
【０３１７】
基地局８１０は、プロセッサ（processor）８１１、メモリー（memory）８１２、及び通信モジュール（communication module）８１３を含む。
【０３１８】
プロセッサ８１１は、先の図１乃至図７で提案された機能、過程、及び／又は方法を具現する。有／無線インターフェースプロトコルの階層はプロセッサ８１１により具現できる。メモリー８１２はプロセッサ８１１と連結されて、プロセッサ８１１を駆動するための多様な情報を格納する。通信モジュール８１３はプロセッサ８１１と連結されて、有／無線信号を送信及び／又は受信する。
【０３１９】
前記通信モジュール８１３は、無線信号を送／受信するためのRF部（radio frequency unit）を含むことができる。
【０３２０】
端末８２０は、プロセッサ８２１、メモリー８２２、及び通信モジュール（または、RF部）８２３を含む。プロセッサ８２１は、先の図１乃至図７で提案された機能、過程、及び／又は方法を具現する。無線インターフェースプロトコルの階層はプロセッサ８２１により具現できる。メモリー８２２はプロセッサ８２１と連結されて、プロセッサ８２１を駆動するための多様な情報を格納する。通信モジュール８２３はプロセッサ８２１と連結されて、無線信号を送信及び／又は受信する。
【０３２１】
メモリー８１２、８２２はプロセッサ８１１、８２１の内部または外部にあることができ、よく知られた多様な手段によりプロセッサ８１１、８２１と連結できる。
【０３２２】
また、基地局８１０及び／又は端末８２０は１つのアンテナ（single antenna）または多重アンテナ（multiple antenna）を有することができる。
【０３２３】
図９は、本発明の一実施形態に従う通信装置のブロック構成図を例示する。
【０３２４】
特に、図９では先の図８の端末をより詳細に例示する図である。
【０３２５】
図９を参照すると、端末は、プロセッサ（または、ディジタル信号プロセッサ（DSP：digital signal processor）９１０、RFモジュール（RF module）（または、RFユニット）９３５、パワー管理モジュール（power management module）９０５、アンテナ（antenna）９４０、バッテリー（battery）９５５、ディスプレイ（display）９１５、キーパッド（keypad）９２０、メモリー（memory）９３０、 SIMカード（SIM（Subscriber Identification Module）card）９２５（この構成は選択的である）、スピーカー（speaker）９４５、及びマイクロフォン（microphone）９５０を含んで構成できる。また、端末は単一のアンテナまたは多重のアンテナを含むことができる。
【０３２６】
プロセッサ９１０は、先の図１乃至図７で提案された機能、過程、及び／又は方法を具現する。無線インターフェースプロトコルの階層はプロセッサ９１０により具現できる。
【０３２７】
メモリー９３０はプロセッサ９１０と連結され、プロセッサ９１０の動作と関連した情報を格納する。メモリー９３０はプロセッサ９１０の内部または外部にあることができ、よく知られた多様な手段によりプロセッサ９１０と連結できる。
【０３２８】
ユーザは、例えば、キーパッド９２０のボタンを押すとか（あるいは、タッチするか）、またはマイクロフォン９５０を用いた音声駆動（voice activation）により電話番号などの命令情報を入力する。プロセッサ９１０は、このような命令情報を受信し、電話番号で電話をかけるなど、適切な機能を遂行するように処理する。駆動上のデータ（operational data）はSIMカード９２５またはメモリー９３０から抽出できる。また、プロセッサ９１０はユーザが認知し、また便宜のために命令情報または駆動情報をディスプレイ９１５上にディスプレイすることができる。
【０３２９】
RFモジュール９３５はプロセッサ９１０に連結されて、RF信号を送信及び／又は受信する。プロセッサ９１０は通信を開始するために、例えば、音声通信データを構成する無線信号を転送するように命令情報をRFモジュール９３５に伝達する。RFモジュール９３５は無線信号を受信及び送信するために受信機（receiver）及び転送機（transmitter）で構成される。アンテナ９４０は、無線信号を送信及び受信する機能をする。無線信号を受信する時、RFモジュール９３５はプロセッサ９１０により処理するために信号を伝達し、基底帯域に信号を変換することができる。処理された信号はスピーカー９４５を通じて出力される可聴または可読情報に変換できる。
【０３３０】
図１０は、本明細書で提案する方法が適用できる無線通信装置のRFモジュールの一例を示した図である。
【０３３１】
具体的に、図１０はFDD（Frequency Division Duplex）システムで具現できるRFモジュールの一例を示す。
【０３３２】
まず、転送経路で、図８及び図９で記述されたプロセッサは転送されるデータをプロセシングしてアナログ出力信号を送信機１０１０に提供する。
【０３３３】
送信機１０１０内で、アナログ出力信号はディジタル−対−アナログ変換（ADC）により引き起こされるイメージを除去するために低域通過フィルタ（Low Pass Filter、LPF）１０１１によりフィルタリングされ、上向き変換器（Mixer）１０１２により基底帯域からRFに上向き変換され、可変利得増幅器（Variable Gain Amplifier、VGA）１０１３により増幅され、増幅された信号はフィルタ１０１４によりフィルタリングされ、電力増幅器（Power Amplifier、PA）１０１５により追加で増幅され、デュプレクサ１０５０／アンテナスイッチ１０６０を通じてルーティングされ、アンテナ１０７０を通じて転送される。
【０３３４】
また、受信経路で、アンテナ１０７０は外部から信号を受信して、受信された信号を提供し、この信号はアンテナスイッチ１０６０／デュプレクサ１０５０を通じてルーティングされ、受信機１０２０に提供される。
【０３３５】
受信機１０２０内で、受信された信号は低雑音増幅器（Low Noise Amplifier、LNA）１０２３により増幅され、帯域通過フィルタ１０２４によりフィルタリングされ、下向き変換機（Mixer）１０２５によりRFから基底帯域に下向き変換される。
【０３３６】
前記下向き変換された信号は低域通過フィルタ（LPF）１０２６によりフィルタリングされ、VGA１０２７により増幅されてアナログ入力信号を獲得し、これは図８及び図９で記述したプロセッサに提供される。
【０３３７】
また、ローカルオシレーター（local oscillator、LO）発生器１０４０は転送及び受信LO信号を発生及び上向き変換機１０１２及び下向き変換機１０２５に各々提供する。
【０３３８】
また、位相固定ループ（Phase Locked Loop、PLL）１０３０は適切な周波数で転送及び受信LO信号を生成するためにプロセッサから制御情報を受信し、制御信号をLO発生器１０４０に提供する。
【０３３９】
また、図１０に図示された回路は図１０に図示された構成と異なるように配列されることもできる。
【０３４０】
図１１は、本明細書で提案する方法が適用できる無線通信装置のRFモジュールの更に他の一例を示した図である。
【０３４１】
具体的に、図１１はTDD（Time Division Duplex）システムで具現できるRFモジュールの一例を示す。
【０３４２】
TDDシステムでのRFモジュールの送信機１１１０及び受信機１１２０はFDDシステムでのRFモジュールの送信機及び受信機の構造と同一である。
【０３４３】
以下、TDDシステムのRFモジュールはFDDシステムのRFモジュールと差が出る構造に対してのみ説明し、同一な構造に対しては図１８の説明を参照する。
【０３４４】
送信機の電力増幅器（Power Amplifier、PA）１１１５により増幅された信号はバンド選択スイッチ（Band Select Switch）１１５０、バンド通過フィルタ（BPF）１１６０、及びアンテナスイッチ１１７０を通じてルーティングされ、アンテナ１１８０を通じて転送される。
【０３４５】
また、受信経路で、アンテナ１１８０は外部から信号を受信して、受信された信号を提供し、この信号はアンテナスイッチ１１７０、バンド通過フィルタ１１６０、及びバンド選択スイッチ１１５０を通じてルーティングされ、受信機１１２０に提供される。
【０３４６】
以上で説明された実施形態は本発明の構成要素と特徴が所定の形態に結合されたものである。各構成要素または特徴は別途の明示的な言及がない限り、選択的なものとして考慮されなければならない。各構成要素または特徴は他の構成要素や特徴と結合されない形態に実施できる。また、一部の構成要素及び／又は特徴を結合して本発明の実施形態を構成することも可能である。本発明の実施形態で説明される動作の順序は変更できる。ある実施形態の一部の構成や特徴は他の実施形態に含まれることができ、または他の実施形態の対応する構成または特徴と取替できる。特許請求範囲で明示的な引用関係がない請求項を結合して実施形態を構成するか、または出願後の補正により新たな請求項に含めることができることは自明である。
【０３４７】
本発明に従う実施形態は、多様な手段、例えば、ハードウェア、ファームウエア（firmware）、ソフトウェア、またはそれらの結合などにより具現できる。ハードウェアによる具現の場合、本発明の一実施形態は１つまたはその以上のASICs（application specific integrated circuits）、DSPs（digital signal processors）、DSPDs（digital signal processing devices）、PLDs（programmable logic devices）、FPGAs（field programmable gate arrays）、プロセッサ、コントローラー、マイクロコントローラー、マイクロプロセッサなどにより具現できる。
【０３４８】
ファームウエアやソフトウェアによる具現の場合、本発明の一実施形態は以上で説明された機能または動作を遂行するモジュール、手続、関数などの形態に具現できる。ソフトウェアコードはメモリーに格納されてプロセッサにより駆動できる。前記メモリーは前記プロセッサの内部または外部に位置し、既に公知された多様な手段により前記プロセッサとデータをやり取りすることができる。
【０３４９】
本発明は本発明の必須的な特徴を逸脱しない範囲で他の特定の形態に具体化できることは通常の技術者に自明である。したがって、前述した詳細な説明は全ての面で制限的に解釈されてはならず、例示的なものとして考慮されなければならない。本発明の範囲は添付した請求項の合理的な解釈により決定されなければならず、本発明の等価的な範囲内での全ての変更は本発明の範囲に含まれる。
【産業上利用可能性】
【０３５０】
本発明の無線通信システムにおけるデータを送受信する方法は、３GPP LTE／LTE-Aシステム、５Gに適用される例を中心として説明したが、その他にも多様な無線通信システムに適用可能である。
【図１】
2020505807.tif 000048
【図２】
2020505807.tif 000049
【図３】
2020505807.tif 000050
【図４】
2020505807.tif 000051
【図５】
2020505807.tif 000052
【図６】
2020505807.tif 000053
【図７】
2020505807.tif 000054
【図８】
2020505807.tif 000055
【図９】
2020505807.tif 000056
【図１０】
2020505807.tif 000057
【図１１】
2020505807.tif 000058
【手続補正書】
【提出日】令和1年7月3日(2019.7.3)
【手続補正１】
【補正対象書類名】特許請求の範囲
【補正対象項目名】全文
【補正方法】変更
【補正の内容】
【特許請求の範囲】
【請求項１】
無線通信システムにおいて端末がデータを受信する方法であって、
基地局からダウンリンク共有チャンネルの物理資源ブロック（ＰＲＢ）バンドリングサイズに関連する構成情報を受信するステップであって、前記構成情報は、（ｉ）複数の候補値のうちの１つの値からなる第１バンドリングサイズ集合、及び（ｉｉ）前記複数の候補値のうちの２つの値からなる第２バンドリングサイズ集合を含む、ステップと、
前記基地局からバンドリングサイズ指示子を含むダウンリンク制御情報を受信するステップと、
第１指示子値を有する前記バンドリングサイズ指示子に基づき、前記ＰＲＢバンドリングサイズを前記第１バンドリングサイズ集合内の前記１つの値として決定するステップと、
第２指示子値を有する前記バンドリングサイズ指示子に基づき、周波数領域内の連続するスケジュールされたＰＲＢのサイズが前記端末に対する帯域幅部分（ＢＷＰ）のサイズに関連するしきい値を超えるか否かに基づいて、前記ＰＲＢバンドリングサイズを前記第２バンドリングサイズ集合内の前記２つの値の１つとして決定するステップと、
前記ＰＲＢバンドリングサイズに基づいて設定された前記ダウンリンク共有チャンネルを通じて前記基地局からダウンリンクデータを受信するステップと、
を含むことを特徴とする、データ受信方法。
【請求項２】
前記複数の候補値は｛２、４、Ｗ｝と等しく、Ｗは前記周波数領域内の前記連続するスケジュールされたＰＲＢのサイズを表す、請求項１に記載のデータ受信方法。
【請求項３】
前記第１指示子値は０であり、前記第２指示子値は１である、請求項１に記載のデータ受信方法。
【請求項４】
前記第１バンドリングサイズ集合内の前記１つの値は、４又はＷのどちらかに等しく、Ｗは前記周波数領域内の前記連続するスケジュールされたＰＲＢのサイズを表す、請求項１に記載のデータ受信方法。
【請求項５】
前記第２バンドリングサイズ集合内の前記２つの値は、｛２、Ｗ｝又は｛４、Ｗ｝のどちらかに等しく、Ｗは前記周波数領域内の前記連続するスケジュールされたＰＲＢのサイズを表す、請求項１に記載のデータ受信方法。
【請求項６】
前記周波数領域内の前記連続するスケジュールされたＰＲＢのサイズが前記しきい値を超えるか否かに基づいて、前記ＰＲＢバンドリングサイズを前記第２バンドリングサイズ集合内の前記２つの値の１つとして決定するステップは、
前記連続するスケジュールされたＰＲＢのサイズが前記しきい値より大きいことに基づいて、前記ＰＲＢバンドリングサイズを前記第２バンドリングサイズ集合内の前記２つの値のうちの大きい値として決定するステップを含む、請求項１に記載のデータ受信方法。
【請求項７】
前記周波数領域内の前記連続するスケジュールされたＰＲＢのサイズが前記しきい値を超えるか否かに基づいて、前記ＰＲＢバンドリングサイズを前記第２バンドリングサイズ集合内の前記２つの値の１つとして決定するステップは、
前記連続するスケジュールされたＰＲＢのサイズが前記しきい値より小さいことに基づいて、前記ＰＲＢバンドリングサイズを前記第２バンドリングサイズ集合内の前記２つの値のうちの小さい値として決定するステップを含む、請求項１に記載のデータ受信方法。
【請求項８】
前記端末に対する前記ＢＷＰのサイズに関連する前記しきい値は、前記ＢＷＰのサイズを２で割った値に等しい、請求項１に記載のデータ受信方法。
【請求項９】
無線通信システムにおいて基地局がデータを送信する方法であって、
端末にダウンリンク共有チャンネルの物理資源ブロック（ＰＲＢ）バンドリングサイズに関連する構成情報を送信するステップであって、前記構成情報は、（ｉ）複数の候補値のうちの１つの値からなる第１バンドリングサイズ集合、及び（ｉｉ）前記複数の候補値のうちの２つの値からなる第２バンドリングサイズ集合を含む、ステップと、
前記端末にバンドリングサイズ指示子を含むダウンリンク制御情報を送信するステップと、
前記ＰＲＢバンドリングサイズに基づいて設定された前記ダウンリンク共有チャンネルを通じて前記端末にダウンリンクデータを送信するステップと、
を含み、
第１指示子値を有する前記バンドリングサイズ指示子は、前記ＰＲＢバンドリングサイズが前記第１バンドリングサイズ集合内の前記１つの値であることを示し、
第２指示子値を有する前記バンドリングサイズ指示子は、周波数領域内の連続するスケジュールされたＰＲＢのサイズが前記端末に対する帯域幅部分（ＢＷＰ）のサイズに関連するしきい値を超えるか否かに基づいて、前記ＰＲＢバンドリングサイズが前記第２バンドリングサイズ集合内の前記２つの値の１つであることを示すことを特徴とする、データ送信方法。
【請求項１０】
無線通信システムにおいてデータを受信するよう構成された端末であって、
ＲＦモジュールと、
少なくとも１つのプロセッサと、
前記少なくとも１つのプロセッサと動作可能に接続でき、命令を格納する少なくとも１つのコンピュータメモリと、を含み、
前記命令は、実行された際に、前記少なくとも１つのプロセッサに、
基地局からダウンリンク共有チャンネルの物理資源ブロック（ＰＲＢ）バンドリングサイズに関連する構成情報を受信し、前記構成情報は、（ｉ）複数の候補値のうちの１つの値からなる第１バンドリングサイズ集合、及び（ｉｉ）前記複数の候補値のうちの２つの値からなる第２バンドリングサイズ集合を含み、
前記基地局からバンドリングサイズ指示子を含むダウンリンク制御情報を受信し、
第１指示子値を有する前記バンドリングサイズ指示子に基づき、前記ＰＲＢバンドリングサイズを前記第１バンドリングサイズ集合内の前記１つの値として決定し、
第２指示子値を有する前記バンドリングサイズ指示子に基づき、周波数領域内の連続するスケジュールされたＰＲＢのサイズが前記端末に対する帯域幅部分（ＢＷＰ）のサイズに関連するしきい値を超えるか否かに基づいて、前記ＰＲＢバンドリングサイズを前記第２バンドリングサイズ集合内の前記２つの値の１つとして決定し、
前記ＰＲＢバンドリングサイズに基づいて設定された前記ダウンリンク共有チャンネルを通じて前記基地局からダウンリンクデータを受信することを含む動作を実行させる、端末。
【請求項１１】
前記複数の候補値は｛２、４、Ｗ｝と等しく、Ｗは前記周波数領域内の前記連続するスケジュールされたＰＲＢのサイズを表す、請求項１０に記載の端末。
【請求項１２】
前記第１指示子値は０であり、前記第２指示子値は１である、請求項１０に記載の端末。
【請求項１３】
前記第１バンドリングサイズ集合内の前記１つの値は、４又はＷのどちらかに等しく、Ｗは前記周波数領域内の前記連続するスケジュールされたＰＲＢのサイズを表す、請求項１０に記載の端末。
【請求項１４】
前記第２バンドリングサイズ集合内の前記２つの値は、｛２、Ｗ｝又は｛４、Ｗ｝のどちらかに等しく、Ｗは前記周波数領域内の前記連続するスケジュールされたＰＲＢのサイズを表す、請求項１０に記載の端末。
【請求項１５】
前記周波数領域内の前記連続するスケジュールされたＰＲＢのサイズが前記しきい値を超えるか否かに基づいて、前記ＰＲＢバンドリングサイズを前記第２バンドリングサイズ集合内の前記２つの値の１つとして決定することは、
前記連続するスケジュールされたＰＲＢのサイズが前記しきい値より大きいことに基づいて、前記ＰＲＢバンドリングサイズを前記第２バンドリングサイズ集合内の前記２つの値のうちの大きい値として決定することを含む、請求項１０に記載の端末。
【請求項１６】
前記周波数領域内の前記連続するスケジュールされたＰＲＢのサイズが前記しきい値を超えるか否かに基づいて、前記ＰＲＢバンドリングサイズを前記第２バンドリングサイズ集合内の前記２つの値の１つとして決定することは、
前記連続するスケジュールされたＰＲＢのサイズが前記しきい値より小さいことに基づいて、前記ＰＲＢバンドリングサイズを前記第２バンドリングサイズ集合内の前記２つの値のうちの小さい値として決定することを含む、請求項１０に記載の端末。
【請求項１７】
前記端末に対する前記ＢＷＰのサイズに関連する前記しきい値は、前記ＢＷＰのサイズを２で割った値に等しい、請求項１０に記載の端末。
【国際調査報告】
2020505807.tif 000059
2020505807.tif 000060
2020505807.tif 000061
2020505807.tif 000062
2020505807.tif 000063
2020505807.tif 000064